(57)【要約】      （修正有）【課題】容器の水切りに手間を掛けず、衛生的に早急に自然乾燥をすることによりカビ、細菌の発生を防ぐことができる水切り具を提供する。【解決手段】ペットボトル、紙パック、缶、牛乳ビンなどの容器の水切り具であって、前記容器を逆さ状態にして容器底部側面を上側より挟持できる向かいあった二つの挟持部材を持つピンチを形成し、前記挟持部材の先端には、容器外面に合う円弧状の向かい合った二つの支持部を形成し、前記挟持部材先端より上部に伸びて前記挟持部材と接続された吊下げ部材を設け、前記吊下げ部材の上部先端に台所の流しの上部にある棚下部横材又は壁側のフックに掛けることのできるフックを備えているボトルピンチ２型を使用して、逆さに容器を挟持して水を切る。【選択図】図１
0003146523.tif 000002
【実用新案登録請求の範囲】
【請求項１】
ペットボトル，紙パック，缶，牛乳ビンなどの容器の水切り具であって、前記容器を逆さ状態にして容器底部側面を上側より挟持できる形状を持つピンチを形成し、前記ピンチの向かい合った二つの挟持部材の先端には、円柱形容器外面を、支持出来る曲面の支持部と、その両外側は角型容器を支持出来る平面の支持部を設け、前記挟持部材先端より上部に伸びた吊下げ部材の上端には台所の流しの上部にある棚下部横材又は壁側のフックに掛けることのできるフックを備えていることを特徴とするボトルピンチ２型。
【請求項２】
前記ピンチの向かい合った二つの挟持部材の先端にある支持部の容器と接触する面に、ゴムが張り付けられていることを特徴とする請求項１に記載のボトルピンチ２型。
【請求項３】
前記挟持部材の中ほどに、小型容器外面に合う曲面と平面の向かい合った二つの小支持部を形成し、前記挟持部材の先端には、大型容器外面に合う曲面と平面の向かい合った二つの大支持部を持ち、小型容器から大型容器まで挟持でき、挟持する力は小型容器の方が強い挟持力を持つことを特徴とする請求項１または２記載のボトルピンチ２型。
【請求項４】
前記容器を逆さ状態にして容器底部側面を上側より挟持できる形状を持つピンチを上面視で放射状，円状または直線上に複数個接続した事を特徴とする請求項１，２または３記載のボトルピンチ２型。
【考案の詳細な説明】
【技術分野】
【０００１】
本考案は、使用したことにより汚れたペットボトル，紙パック，缶，牛乳ビンなどの容器を水で洗浄した後に容器に残った水を切るための水切り具に関する。
【背景技術】
【０００２】
従来、洗浄した容器の水切りに際しては、水切りかご，コップ立てなどに容器を逆さまにして挿し込み、しばらく放置するという方法が一般的に採られていた。しかし、このような方法では容器の保持状態が不安定になって容器が倒れ、該容器の底に水がたまった状態になり、いつまで経っても乾燥できず、また場所によっては邪魔にもなる。そこで、例えば特許文献１に記載されたような水切り具が提案されている。この水切り具は壁面などに取り付け可能な専用の用具に容器を保持できるようにしたもので、ペットボトルだけでなく、角型の紙パックや缶など複数種類の容器に対応できるようにしたものである。
【０００３】
【特許文献１】特開２００２−５８６２８号公報
【考案の開示】
【考案が解決しようとする課題】
【０００４】
普通、ペットボトル，紙パック，缶,牛乳ビンなどは、使用されて洗浄後に食器乾燥機に入れず水分をふき取らず放置される場合が多い。これらの容器は逆さまにしないと水が溜まりやすく自然乾燥しにくい。また近年、市販のペットボトルに収められた水、茶、果汁等の飲料を飲んだ後に、このペットボトルを洗浄して中に自家製の麦茶等を入れ、これを断熱性の包装材に入れて、水筒代わりに使用することがよく行われている。この場合、洗浄後のペットボトルをよく乾燥させないとカビ，細菌が繁殖するおそれがある。本発明は、これらの容器の水切りに手間を掛けず、衛生的に早急に自然乾燥をすることによりカビ，細菌の発生を防ぐことができる水切り具を提供することを目的とするものである。
【課題を解決するための手段】
【０００５】
第１の考案は、ペットボトル，紙パック，缶，牛乳ビンなどの容器の水切り具であって、前記容器を逆さ状態にして容器底部側面を上側より挟持できる形状を持つピンチを形成し、前記ピンチの向かい合った二つの挟持部材の先端には、円柱形容器外面を、支持出来る曲面の支持部と、その両外側は角型容器を支持出来る平面の支持部を設け、前記挟持部材先端より上部に伸びた吊下げ部材の上端には台所の流しの上部にある棚下部横材又は壁側のフックに掛けることのできるフックを備えていることを特徴とする。第２の考案は、前記ピンチの向かい合った二つの挟持部材の先端にある支持部の容器と接触する面に、ゴムが張り付けられていることを特徴とする。第３の考案は、前記挟持部材の中ほどに、小型容器外面に合う曲面と平面の向かい合った二つの小支持部を形成し、前記挟持部材の先端には、大型容器外面に合う曲面と平面の向かい合った二つの大支持部を持ち、小型容器から大型容器まで挟持でき、挟持する力は小型容器の方が強い挟持力を持つことを特徴とする。
第４の考案は、前記容器を逆さ状態にして容器底部側面を上側より挟持できる形状を持つピンチを上面視で放射状，円状または直線上に複数個接続した事を特徴とする。
【考案の効果】
【０００６】
本考案による水切り具は、洗浄したペットボトル，紙パック，缶，牛乳ビンなどの容器を逆さまに安定よく支持することができ、水切りも確実に行うことができ、しかも日の当たる場所に吊るして自然乾燥することが可能となり、その結果、シミ，カビ，細菌の発生を防ぐことができるようになった。また、吊下げ軸の先端にフックを形成しているので洗浄した後、ペットボトルなどの容器をセットして物干し竿や台所の窓側の棚等など日光の当たる場所に吊るして日光消毒することができる。また、各容器がリサイクル材になった場合、洗浄および乾燥されているので良好な資源となる。サラダオイル，マヨネーズ，ソースなどの粘度のある液体の少なくなった容器を逆さまに挟んで蓋をあけて、受け皿をセットしておけば、完全に使い切ることができ節約できるという利点もある。
【考案を実施するための最良の形態】
【０００７】
本考案によるボトルピンチ２型１の最良の形態について図面により詳細に説明する。図１は本考案によるボトルピンチ２型１を示す斜視図である。図１において１はボトルピンチ２型で、該ボトルピンチ２型１は、樹脂材又は線材を曲成または溶着することにより形成したものである。また、本考案の容器１１は、ペットボトル,紙パック,缶，牛乳ビンなどの円柱形状または角型形状のものを示す。
【０００８】
ボトルピンチ２型１は、ペットボトル，紙パック，缶，牛乳ビンなどの容器１１を一方の挟持部材２０と他方の挟持部材３０で容器１１を挟持できるようになっている。前記各挟持部材の先端には一方の小支持部２１と他方の小支持部３１が形成され、ともに直径５０ミリから９０ミリ程度の円柱型容器もしくは、角型の紙パック，２リットルのペットボトル容器も挟持できるように、一方と他方の両方の小支持部の容器１１と接触する曲面の形状が、上面視で直径９０ミリ程度の円弧状に形成され、両方の小支持部の両外側は角型容器を支持出来るように平面に形成されている。
【０００９】
ゴム４は、洗浄した後の容器１１を一方の小支持部と他方の小支持部で挟持する際に、濡れている容器１１と両支持部とのすべりを無くすもので、両小支持部の表面に接着されている。ゴムの材質は、無味無臭で無色透明なシリコーンゴムが良い。硬度は、ＪＩＳ  Ｋ  ６２５３  デュロメータタイプＡによると、Ａ５〜Ａ３０程度の硬度が良い。
【００１０】
把持部５は、容器１１を挟持する場合もしくは容器１１を開放する場合に手で把持するもので、バネ６によって容器１１を挟持する方向に力がかかっている。本考案の容器１１は使用された後洗浄されてから挟持されるものであるから、中身は空で重量は軽くペットボトルでは一番大きな２リットルのボトルでも７０グラムまでである。そのため、形の大きさから見ると洗濯用ピンチの３倍程度の大きさであるが、ピンチの挟持する力は精確な実験結果ではないが、わたしなりに実験した結果では、洗濯用ピンチと同程度の挟持力をもったバネ６で容器１１を挟持することができる。しかしながら、実際は挟持力が少ないと挟持した容器１１が落下するするかもしれないという不安感を持つので、挟持力を洗濯用ピンチの２〜３倍の挟持力を持つバネ６にしてピンチの把持部５の位置と支軸７との距離を長くとってやると、手で把持する力は２〜３倍にはならず楽に把持できるようになる。
【００１１】
吊下げ部材８は上端に板状のフック９を形成しているが、この形状は台所の流しの上部にある棚下部横材に掛けた場合、ボトルピンチ２型１が前記棚下部横材の長さ方向への揺れがなくなるように面で接するように形成されている。上端の穴には壁側フックが入るようになっている。
【００１２】
ペットボトルキャップ挟持部１０は、一方の挟持部２０の外側側面に形成されており、形状はペットボトルキャップの直径よりも少し小さな直径で上面視略C型状に樹脂製で形成されている。ペットボトルキャップは軽量なので、樹脂の弾力で挟持することができる。
【００１３】
次に、本考案の第２実施例のボトルピンチ２型１を説明する。図２は本考案の第２実施例におけるボトルピンチ２型１の斜視図である。図３は本考案の第２実施例におけるボトルピンチ２型１の容器１１の挟持状態図である。第２実施例においては、前記最良の形態と共通する部分に共通する符号を用いている。また、第２実施例では、前記挟持部材の中ほどに、小型容器外面に合う曲面と平面の支持部を形成し、前記挟持部材の先端には、大型容器外面に合う曲面と平面の支持部を持ち、小型容器から大型容器まで挟持でき、挟持する力は小型容器の方が強い挟持力を持つという特徴がある。
【００１４】
本考案の第２実施例のボトルピンチ２型１を図３に基づき説明する。Ｌ１は解放状態幅で、容器１１を挟持していない状態である。この状態でもバネ６は、挟持方向に力が掛かっている状態であるが、Ｌの幅が小さくならないように挟持部の支軸７側で挟持部どうしが接触してＬの幅を規制するようになっている。こうすることによって、小さい物は挟持できなくなるが本考案で挟持する容器１１のサイズの直径約５５ミリより９０ミリ程度の容器１１では、手で把持する幅も少なくなり挟持しやすくなる。また、図３のボトルピンチ２型１の一方の大支持部と他方の大支持部で小型容器と大型容器を挟持して比較してみると、大型容器の方が挟持される力が強く、小型容器の方が挟持される力が弱い。このことは、円形状のバネ６がある程度開かないと反発力が低く、またある程度まではバネの開度と反発力は比例するというバネの特性がある。そこで、一方の大支持部２１と他方の大支持部３１で大型容器を挟持するバネの開度と一方の小支持部２１と他方の小支持部３１で小型容器を挟持するバネの開度を、ほぼ同じように設定すると、支軸７と一方の小支持部と他方の小支持部の距離が短い小型容器を挟持する挟持力の方が、大型容器を挟持する挟持力よりも強い。こうすることによって小型容器は、中身が入っている状態でも、挟持出来るようになる。  
【図面の簡単な説明】
【００１５】
【図１】本考案のボトルピンチ２型の斜視図である。
【図２】本考案の第２実施例におけるボトルピンチ２型の斜視図である。
【図３】本考案の第２実施例におけるボトルピンチ２型の容器の挟持状態図である。
【符号の説明】
【００１６】
１      ボトルピンチ２型
２０    一方の挟持部材
２１    一方の小支持部
２２    一方の大支持部
３０    他方の挟持部材
３１    他方の小支持部
３２    他方の大支持部
４      ゴム
５      把持部       
６      バネ
７      支軸  
８      吊下げ軸
９      フック
１０    ペットボトルキャップ挟持部
１１    容器
Ｌ１  解放状態幅
Ｌ２  最大開口幅
【図１】
0003146523.tif 000003
【図２】
0003146523.tif 000004
【図３】
0003146523.tif 000005